(57)【要約】【課題】  手で簡単に蓋体を開閉でき、開口に蓋をすれば安定して不用意に蓋体が浮き上がらず、さらに流雪溝の投雪口やマンホール等の人の出入り口用としても有用な開閉蓋を提供する。【解決手段】  枠部材で方形の開口Ｏが形成されるようにした開口枠１と、板状又は盤状にして開口Ｏに蓋ができる蓋体２と、該蓋体の側面２３の長手方向に沿って蓋体の回動軸として配設され、該回動軸の両端部３０が前記枠部材に設けた透孔１２に挿通して、蓋体２の回動動作で該蓋体と一体的に回動する支軸３と、該支軸３又はこれに固着された固着部材５に一端４１が係止され他端４２が前記枠部材又はこれに一体化された一体部材１４に係止される弾性部材４とを具備し、且つ該弾性部材を弾性変形させた状態にして開口Ｏに前記蓋体２で蓋をし、蓋体２を回動し開口Ｏが開くにしたがい弾性部材４が弾性復元していくようにした。【選択図】  図１
2005232803.tif 000002
【特許請求の範囲】
【請求項１】
枠部材で方形の開口が形成されるようにした開口枠(１)と、
板状又は盤状にして前記開口に蓋ができる蓋体(２)と、
該蓋体の側面の長手方向に沿って蓋体の回動軸として配設され、該回動軸の両端部が前記枠部材に設けた透孔に挿通して、蓋体の回動動作で該蓋体と一体的に回動する支軸(３)と、
該支軸又はこれに固着された固着部材に一端が係止され他端が前記枠部材又はこれに一体化された一体部材に係止される弾性部材(４)と、を具備し、且つ該弾性部材を弾性変形させた状態にして前記開口に前記蓋体で蓋をし、蓋体を回動し開口が開くにしたがい弾性部材が弾性復元していくようにしたことを特徴とする開閉蓋。
【請求項２】
前記弾性部材がコイルバネからなり、その弾性部本体が前記支軸に遊嵌されるようにした請求項１記載の開閉蓋。
【発明の詳細な説明】
【技術分野】
【０００１】
本発明は流雪溝の投雪口、或いは電線,光ケーブル用共同溝等のマンホールの開口などに設けられる開閉蓋に関する。
【背景技術】
【０００２】
例えば降雪地帯では流雪溝の投雪口の開閉蓋を開け、雪かきして集めた雪をそこへ投入して流雪溝の底を流れる水で溶解させて雪を処理する方法がある。この開閉蓋は道路に設けられるため、金属製で頑強にし重量的に重いものになっている。そのため、作業者が開閉蓋を開け閉めする際の労力負担が大きく、これを改善する開閉蓋の発明技術がこれまでいくつか提案されてきた(例えば、特許文献１,２,３参照。)。
【０００３】
【特許文献１】特開平１１−２６９９６８号公報(第２−４頁,図１)
【特許文献２】特許第２６５８４８号号公報(第２−６頁,図１)
【特許文献３】特開２０００−１９２５３３号公報(第２−４頁,図１)
【発明の開示】
【発明が解決しようとする課題】
【０００４】
しかるに、特許文献１は操作ロッドを必要とし作業者はそれを持ち歩かねばならなかった。また開閉蓋を撥ね上げる方向に作用するつる巻きバネが設けられ、つる巻きバネの作用に抗して開閉蓋をロック手段が押さえ込んでいるため、何かのはずみでロック手段が外れると溝蓋が自然に開く不具合を招いた。ロック手段のロックの確実,安全性が求められ、その結果、製品がコスト高の傾向にあった。
特許文献２も構造が複雑であることから製品のコスト高を招き、また投雪口に投入した雪がスムーズに流れず、投雪口付近まで雪が溜まったケースでは、蓋を閉めようとしてもバランスウエイトの動きが雪に邪魔されて、蓋が閉め難い等の問題があった。
特許文献３は投雪口たる開口に、雪かきして集めた雪を投入する際、第２アームにスコップが当たり作業に支障をきたした。またバネ機構体が蓋本体を浮上させ、開口の口がともすれば開き加減になる問題があった。
また、特許文献２,３はバランスウエイトやバネ機構体が開口内に張り出しているため、斯る開閉蓋を例えば電線,光ケーブル用共同溝や下水道に通じるマンホール等に適用した場合、作業者の出入りが困難になった。
【０００５】
本発明は上記問題点を解決するもので、極めて簡単な構造ながら、何ら治具を使うことなく手で簡単に蓋体を開閉でき、開口に蓋をすれば安定して不用意に蓋体が浮き上がらず安全性に富み、さらに開口内の面積を狭めるものがなく、流雪溝の投雪口やマンホール等の人の出入り口用としても有用な開閉蓋を提供することを目的とする。
【課題を解決するための手段】
【０００６】
上記目的を達成すべく、請求項１に記載の発明の要旨は、枠部材で方形の開口が形成されるようにした開口枠(１)と、板状又は盤状にして前記開口に蓋ができる蓋体(２)と、該蓋体の側面の長手方向に沿って蓋体の回動軸として配設され、該回動軸の両端部が前記枠部材に設けた透孔に挿通して、蓋体の回動動作で該蓋体と一体的に回動する支軸(３)と、該支軸又はこれに固着された固着部材に一端が係止され他端が前記枠部材又はこれに一体化された一体部材に係止される弾性部材(４)と、を具備し、且つ該弾性部材を弾性変形させた状態にして前記開口に前記蓋体で蓋をし、蓋体を回動し開口が開くにしたがい弾性部材が弾性復元していくようにしたことを特徴とする開閉蓋にある。
請求項２の発明たる開閉豚は、請求項１で、弾性部材がコイルバネからなり、その弾性部本体が前記支軸に遊嵌されるようにしたことを特徴とする。
ここで、「遊嵌」とは弾性部材の弾性部本体をアソビをもたせて余裕のある状態で支軸の外側に嵌め込むことをいう(図５参照)。
【０００７】
(作用)
請求項１の発明のごとく、開口枠(１)と蓋体(２)と支軸(３)と弾性部材(４)とを具備し、且つ該弾性部材を弾性変形させた状態にして開口に前記蓋体で蓋をし、蓋体を回動し開口が開くにしたがい弾性部材が弾性復元していくようにすると、蓋体を開けるときに弾性部材の弾性復元力が働き、治具等を使わずとも楽に蓋体を持ち上げることができる。一方、蓋を閉めるときは、弾性部材で蓋体が勢いよく開口を閉じるのを規制する。開口には面積を狭めるものがなく、流雪溝の投雪口やマンホールの人の出入り口用としても有用になる。弾性部材の弾性復元力が働いていても、蓋体の重量等とバランスをとれば、蓋体で開口に蓋をすれば安定して不用意に蓋体は浮き上がることはない。開閉蓋の構成部品が少なく単純構成にして、故障が少なく製造容易で低コスト化が図られる。
請求項２の発明のごとく、弾性部材がコイルバネからなり、その弾性部本体が前記支軸に遊嵌されるようにすると、弾性部材の設置に場所を殆どとらずコンパクトに収納でき、省スペース化が図られる。
【発明の効果】
【０００８】
本発明の開閉蓋は、部品点数が少なく且つ部品に高価なものもなく、従来品より低コストで製造できる。しかも、単純構造にして故障が少なくメンテナンスフリーに近いものとなる。それでいて手で楽に蓋体を開閉でき、蓋された蓋体は不用意に浮き上がらず安全性に富み、さらに開口内の面積を狭めるものがなく、流雪溝の投雪口の開閉蓋やマンホール等の人の出入り口用開閉蓋として優れ、極めて有益なものとなる。
【発明を実施するための最良の形態】
【０００９】
以下、本発明に係る開閉蓋について詳述する。図１〜図７は本発明の開閉蓋の一形態で、図１はその全体斜視図、図２は図１の概略平面図、図３は図１の一部断面概略正面図、図４は一部断面右側面図、図５は図４の要部拡大一部断面図、図６は図２のI-I線矢視図、図７は図３の要部拡大一部断面図を示す。尚、図１は開口枠に係る短尺部材と長尺部材のＬ字形板材とを省略した全体斜視図、図３は開口枠の長尺部材を省略した概略正面図、図４は開口枠の短尺度部材を省略した右側面図になっている。
【００１０】
開閉蓋は開口枠１と蓋体２と支軸３と弾性部材４と固着部材５とを具備する。
開口枠１は枠部材たる一対の長尺部材１ａと一対の短尺部材１ｂとをそれぞれ相対向させて、四方を取り囲む方形の開口Ｏが形成されるようにした金属製の方形枠フレームである(図２)。長尺部材１ａは側面視コ字形板材１０と側面視Ｌ字形板材１１とで側面視四角形の筒体が形成され、さらにＬ字形板材１１に係る水平配設部の先端部分が出っ張って、相対向して配設される相手方長尺部材１ａの方へ張り出す複合部材構成になっている(図４,図５)。短尺部材１ｂは帯板からなり、該短尺部材１ｂが長尺部材１ａの両端を塞いで方形枠とする。短尺部材１ｂは側溝を跨いでその段差部に載る長さを有し、一方、長尺部材１ａは側溝に沿って配設されるグレーチングの一部を開口して所望の作業ができる長さに設定されている。
両長尺部材１ａの両端部寄りには蓋体２の回動軸として設けられる支軸３の両端部３０を軸支するための透孔１２が形成される(図５)。ここでは、蓋体２が二つの半割蓋２ａ,２ｂからなるため、長尺部材１ａの立壁１０１の四方四箇所に支軸用透孔１２が穿設される。そして、各透孔１２が在る所には、長尺部材１ａを構成するＬ字形板材１１に突片１４が透孔１２に向けて溶接固定で一体化される。Ｌ字形板材１１に一体化された各突片１４(一体部材)には小孔１４１が設けられる。
符号１５は両コ字形板材１０の開口Ｏに面する内側面に一体付設される側面視四角形の筒部材で、その下縁レベルをコ字形板材１０に一致させている。そして、筒部材１５は前記Ｌ字形板材１１の出っ張り先端部分に載り、該コ字形板材１０の長手方向に走る(図３)。蓋体２で開口Ｏを蓋したとき、該筒部材１５は蓋体２の下面に当接し、蓋体上面を開口枠１の上面に略一致させて蓋体２を水平に支えるようになっている。
符号１８は機械的強度を高めるための補強部材を示す(図２)。
【００１１】
蓋体２は板状又は盤状にして前記開口Ｏに蓋ができる大きさの金属製溝蓋で、通水性を良いグレーチング仕様になっている。また、本実施形態の蓋体２は既述のごとく開口Ｏをほぼ二分する大きさの２個の半割蓋２ａ,２ｂ(金属製グレーチング溝蓋)からなる。
半割蓋２ａ,２ｂは支軸３に支えられ、該支軸３を中心に回動させ開口Ｏの開け閉めを可能とする。夫々の蓋体２は全体形状が盤状直方体をなし、多数の金属製帯板からなるメインバー２１とこれに直交する金属製棒状体からなるツイストバー２２で組格子を形成して、各メインバー２１の両側の端面を一定幅の側板２４で塞いでいる。組格子の形成によりスリット２０ができる。メインバー２１は側溝を横断する格好で配設される。
符号２９は本出願人が発明開示した把手(特開２００１−１１５５３９)、符号２９１は該把手２９からＴ字状に下方に延びる垂直軸部、符号２９２は該垂直軸部下端に設けたストッパを示す。
【００１２】
支軸３は蓋体２の側面２３の長手方向に沿って蓋体２の回動軸として配設され、その回動軸の両端部３０を枠部材に設けた前記透孔１２に挿通し(図５)、蓋体２の回動動作で該蓋体２と一体的に回動するものである。ここでいう支軸３は軸体のみならず筒体又はこれらの複合部材を含む概念で用いる。本実施形態は盤状直方体を形成した複数のメインバー２１のなかの最外側に位置するメインバー側面２３に支軸３を取付ける。本実施形態の支軸３は金属製外筒３ａと金属製中軸３ｂを備え、外筒３ａが半割蓋２ａ,２ｂの側面２３にあたるメインバー２１の長手方向に沿って固定(溶接固定)される。符号Ｙは溶接部分を示す(図６)。外筒３ａの長さはメインバー２１の側面長さと同等又は若干短い。この外筒３ａを一体化した蓋体２は、その外筒３ａを開口枠１の短尺部材１ｂ側の開口Ｏ内に配して、外筒３ａ付き蓋体２が開口Ｏに収まる姿態とする。
中軸３ｂは外筒３ａ内を貫通する軸径にして、その両端部３０が外筒３ａから突出し得る長さとする。外筒３ａを貫通した中軸３ｂの両端部３０は前記透孔１２に挿通し、蓋体２が中軸３ｂを中心に回動自在に支持されるようにする。中軸３ｂと外筒３ａとは止具３２により一体化され、外筒３ａは半割蓋２ａ(又は２ｂ)に溶接固定されているため、これら３者が一体となって動く。本実施形態の中軸３ｂは透孔１２を挿通した両端部３０にコイルバネ４の弾性部本体４０が遊嵌されることから(後述)、両端部３０はその分が余計に突出する。
【００１３】
固着部材５は支軸３の中軸３ｂに固着される部材で、ここでは板片５ａを採用する。半割蓋２ａ,２ｂに固定された外筒３ａを貫通した中軸３ｂは透孔１２を通ってコ字形板材１０の立壁１０１の外側に突出するが、この突出部位で立壁１０１寄りの中軸３ｂに板片５ａが固着される。２本の中軸両端部３０の合計４箇所に板片５ａが固着される。各板片５ａには通孔５１が穿設される(図５)。
【００１４】
弾性部材４は支軸３又はこれに固着された前記板片５ａに一端４１が係止され、他端４２が前記枠部材又はこれに一体化された一体部材１４に係止される弾性機能を有する部材からなる(図５,図７)。弾性部材４には本実施形態のコイルバネ４等のバネがある。本発明はこの弾性部材４を弾性変形させた状態にして開口Ｏに蓋体２で蓋をし(図６の実線状態))、蓋体２を回動し開口Ｏが開くにしたがい弾性部材４が弾性復元していくよう構成する(図６の鎖線状態)。具体的には、コイルバネ４の一端４１を板片５ａの通孔５１に挿着して係止し、且つコイルバネ４の他端４２は長尺部材１ａに一体化された突片１４の小孔１４１に挿着して係止し、さらに該コイルバネ４は弾性変形させた状態(例えばバネを締め付け或いは圧縮した状態)にして蓋体２が開口Ｏに蓋されるよう設定する。そして、蓋体２を持ち上げ蓋を開けていくと、その弾性変形の締め付け変位或いは圧縮の変位が小さくなって徐々に弾性復元していくように取付けられる。また、弾性変形させた状態は例えば弾性伸長させた状態とし、蓋体２を持ち上げ蓋を開けていくと、その弾性変形の伸びた変位が小さくなり徐々に弾性復元していくよう設定することもできる。
本実施形態のコイルバネ４は、さらに図１,図５のごとく、その弾性部本体４０が前記透孔１２に挿通してコ字形板材１０のコ字形板材１０内に突出した支軸３に遊嵌されるようにして、コイルバネ４の一端４１を板片５ａに係止し、コイルバネ４の他端４２を突片１４に係止して取付けられている。コイルバネ４の弾性部本体４０は支軸３から離れ(図５)、自由に動ける状態にある。コイルバネ４を収めるスペースを支軸３の端部３０周りに確保するだけで、蓋体２を回動し開口Ｏが開くにしたがい弾性部材４を弾性復元させるコンパクトな開閉蓋を製造できるようになっている。尚、ここでは支軸３の両端部３０が共に立壁１０１の外に突出し、両端部３０のそれぞれに弾性部材４,突片１４,板片５ａを設けるが、支軸３の片端部３０にだけ設けても勿論よい。
【００１５】
このように構成した開閉蓋は支軸３の端部３０にコイルバネ４の弾性部本体４０を遊嵌させて、コイルバネ４の一端４１を支軸３又はこれに固着された固着部材５(ここでは板片５ａ)に係止し、且つコイルバネ４の他端４２を枠部材１ａ,１ｂ又はこれに一体化された一体部材(ここでは突片１４)に係止し、さらにコイルバネ４を弾性変形させた状態にして開口Ｏに蓋体２で蓋をし、蓋体２を回動し開口Ｏが開くにしたがい弾性部材４が弾性復元していくよう設定しているので、その構造はいたってシンプルになる。従来品に比し低コストで製作できる。それでいて、治具等もなしで、作業者は手で楽に蓋体２を開閉できる。蓋体２を開ける場合はコイルバネ４の復元力が作用して容易に開けられる一方、蓋体２で開口Ｏを閉める場合は蓋体２が閉まるにつれコイルバネ４が弾性変形する度合いが強まりこれに伴って元に戻ろうとする力が増加していくので、蓋体２が勢いよく閉じるのを緩和する。金属製の重い蓋体の開け閉め動作で、作業安全性の見地から極めて優れたものとなっている。
コ字形板材１０とＬ字形板材１１とで四角筒材とし、その筒内空間内に支軸３の両端部３０,コイルバネ４,板片５ａ,突片１４が収納されるので、開閉蓋の外観見栄えもよい。さらにコ字形板材１０とＬ字形板材１１とで四角筒とすることによって機械的強度を高めることができ、その観点からも優れた開閉蓋となる。蓋体２の回動軸として配設される支軸３の周りには隙間が形成されるが、側板２４の長手方向に沿って一定幅で形成されるので製品美的外観に影響を与えることはない。支軸３周りの隙間はグレーチングのスリット２０と同様の働きをし、その隙間,支軸３の在る分、蓋体２を小さくできるメリットがある。
【００１６】
また、本蓋体２で開口Ｏに蓋をすれば、ロック手段等を取付けなくても、蓋体２が不用意に持ち上がることがないので安全であり、管理する上からも素晴らしい開閉蓋になっている。勿論、ロック手段等も必要ないので、開閉蓋の一層の低コスト化を実現する。筒部材１５が設けられているので、蓋体２が開口Ｏに蓋をしたとき、筒部材１５で蓋体２を確実に受け支えることができる。
開口Ｏ内は開口枠１の一側寄りに配設される支軸３を除いて何もないので、開口Ｏ内が広く、雪かきして集めた雪をそこへ投入し易くなる。雪が開口Ｏ内を埋め尽くす状態になっても、バランスウエイト等がないことから、蓋体２を回動させて開口Ｏに蓋をすることが容易となる。また、開口Ｏ内に邪魔をする部材がないので、マンホール等の人の出入り口用の開閉蓋として打ってつけとなる。
【００１７】
本開閉蓋は従来品にコイルバネ４,突片１４,板片５ａが加わっただけで、可動部といってもいたって単純機構であり壊れ難い。しかも、軸体の端部３０周りに小スペースが確保できれば、これらを配設できるので、従来品も本発明品に簡単に改造できることとなり極めて有益である。長期使用によりコイルバネ４の弾性復元力が低下した場合でも、この部分だけの交換で済み、取替えが容易でメンテナンス管理にも優れる。
【００１８】
尚、本発明においては前記実施例に示すものに限られず、目的，用途に応じて本発明の範囲で種々変更できる。開口枠１,蓋体２,支軸３,弾性部材４,固着部材５等の形状，大きさ，個数，材質等は用途に合わせて適宜選択できる。蓋体２は実施形態の半割ニ分割でなく、１枚ものにすることができる。開口枠１に係る長尺部材と短尺部材１ｂとの寸法長さは長尺部材の方が長いが、同寸であってもよい。本発明と同様の作用,効果が得られるからである。実施形態は弾性部材４の一端４１を固着部材５に係止したが、その一端４１を支軸３に係止させることができる。また弾性部材４の他端４２を一体部材１４に係止したが、その他端４２を長尺部材１ａや短尺部材１ｂの枠部材に係止させることができる。
【図面の簡単な説明】
【００１９】
【図１】本発明の開閉蓋の一形態で、その全体斜視図である。
【図２】図１の概略平面図である。
【図３】図１の一部断面概略正面図である。
【図４】図１の一部断面右側面図である。
【図５】図４の要部拡大一部断面図である。
【図６】図２のI-I線矢視図である。
【図７】図３の要部拡大一部断面図である。
【符号の説明】
【００２０】
１            開口枠
１ａ          長尺部材(枠部材)
１ｂ          短尺部材(枠部材)
１２          透孔
１４          突片(一体部材)
２            蓋体
２３          側面
３            支軸
４            弾性部材
４０          弾性部本体
４１          一端
４２          他端
５            固着部材
Ｏ            開口        
【図１】
2005232803.tif 000003
【図２】
2005232803.tif 000004
【図３】
2005232803.tif 000005
【図４】
2005232803.tif 000006
【図５】
2005232803.tif 000007
【図６】
2005232803.tif 000008
【図７】
2005232803.tif 000009